(57)【要約】【課題】ノートパソコンの様な折畳み装置において、カバーの開閉操作を片手で容易に行えるヒンジを提供する。【解決手段】折畳み装置におけるカバー９１と本体９２との間に設置されるヒンジセットであって、カバーを本体に閉じた状態から本体に対して第１角度まで回転させる第１ヒンジＡと、カバーが第１角度から更に任意の角度まで回転する時に、カバーを該角度に位置決めさせる第２ヒンジＢとを備える。【選択図】図１
0003169371.tif 000002
【実用新案登録請求の範囲】
【請求項１】
カバーと本体を有する置折畳み装置における前記カバーと前記本体との間に設置され、自動的に回転してカバーを本体に閉じた状態から第１角度（３０度又は４０度）までカバーの回転を制限する第１ヒンジおよび前記第１角度から最大の回転角度までの回転を制限する第２ヒンジとよりなるヒンジセットであって、
前記第１ヒンジは、第１枢軸と、
前記第１枢軸に回転可能に環装される第１固定座と、
前記第１枢軸に回転可能に環装されると共に、第１固定座に固定される第１固定カムと、
前記第１固定カムに隣接して第１枢軸に摺動可能に環装される第１回転カムと、
一端が前記第１回転カムに当接するように第１枢軸に環装される圧縮ばねと、
前記圧縮ばねの他端に当接するように第１枢軸の一端に固定される第１固定部材とを具備し、
前記第１固定カムはその一側面に第１固定カムの側面に対して傾斜する受け面と、第１固定カムの側面に対して垂直する制動面とを有する、錐状を呈する少なくとも１つの受け部を突設し、
前記第１回転カムはその一側面に、前記受け部と嵌合可能な錐状を呈する駆動部が設けられ、
前記第２ヒンジは、
第２枢軸と、
前記第２枢軸に回転可能に環装される第２固定座と、
前記第２枢軸に回転可能に環装されると共に、第２固定座に固定される第２固定カムと、
前記第２固定カムに隣接するように第２枢軸に摺動可能に環装される第２回転カムと、
一端が前記第２回転カムに当接するように第２枢軸に環装される皿ばねユニットと、
前記皿ばねユニットの他端に当接するように第２枢軸の一端に固定される第２固定部材とを具備し、
前記第２固定カム及び第２回転カムにおける互いに相対する面に夫々、対応する凹部と凸部が形成されることを特徴とするヒンジセット。
【請求項２】
前記第１枢軸及び第２枢軸は、非円形の断面形状を呈する棒体であり、
前記第１固定カムと第２固定カムに夫々軸孔が穿設され、該第１固定カムと第２固定カムは夫々、軸孔を介して第１枢軸と第２枢軸に回転可能に環装され、
前記第１回転カムと第２回転カムに夫々、第１枢軸と第２枢軸の断面形状と対応する中心孔が形成され、該第１回転カムと第２回転カムは夫々、該中心孔を介して第１枢軸と第２枢軸に環装されることを特徴とする請求項１に記載のヒンジセット。
【請求項３】
前記第１固定座と第２固定座に夫々少なくとも１つの嵌合凹部が形成されると共に、前記第１固定カムにおける第１固定座側の面と第２固定カムにおける第２固定座側の面に夫々、対応する嵌合凹部に嵌合される、嵌合凹部の数と対応する数の嵌合凸部が設けられることを特徴とする請求項１に記載のヒンジセット。
【請求項４】
前記第１枢軸と第２枢軸に夫々、第１固定座に隣接する鍔部と第２固定座に隣接する鍔部が設けられ、
前記第１ヒンジは更に、第１枢軸の断面形状と対応する貫通孔が形成される第１回転座を有し、該第１回転座は、該貫通孔を介して鍔部の他側に隣接するように第１枢軸に環装され、
前記第２ヒンジは更に、第２枢軸の断面形状と対応する貫通孔が形成される第２回転座を有し、該第２回転座は、該貫通孔を介して鍔部の他側に隣接するように第２枢軸に環装されることを特徴とする請求項１乃至３の何れか一項に記載のヒンジセット。
【請求項５】
前記第１ヒンジは更に、第１固定座と鍔部との間に位置するように第１枢軸に環装されるワッシャーと、第１固定部材と圧縮ばねとの間に位置するように第１枢軸に環装されるワッシャーを有し、
前記第２ヒンジは更に、第２固定座と鍔部との間に位置するように第２枢軸に環装されるワッシャーと、第２固定部材と皿ばねユニットとの間に位置するように第１枢軸に環装されるワッシャーを有することを特徴とする請求項４に記載のヒンジセット。
【請求項６】
カバーと本体を有する折畳み装置であって、請求項１乃至３の何れか一項に記載のヒンジセットを有し、該第１枢軸と第２枢軸は、該カバーに固定されると共に、該第１固定座と第２固定座は、該本体に固定されることを特徴とする折畳み装置。
【請求項７】
カバーと本体を有する折畳み装置であって、請求項４又は５に記載のヒンジセットを有し、該第１回転座と第２回転座は、該カバーに固定されると共に、該第１固定座と第２固定座は、該本体に固定されることを特徴とする折畳み装置。
【考案の詳細な説明】
【技術分野】
【０００１】
本考案は、特に折畳み装置におけるカバーと本体との間に設置することにより、本体に対してカバーの開閉を行うヒンジに関するものである。
【背景技術】
【０００２】
一般にノートパソコンは、カバーと本体とを有する折畳み式の装置であり、使用時は、カバーを本体から上方へ持ち上げてカバーにおける表示器に表示された画像を見たり、本体のキーボードによって指令を入力したりすることができ、不用時は、カバーを本体側に閉じて収納すれば、持ち運びが容易になる。
【０００３】
前記ノートパソコンは、カバーと本体との間にヒンジが設けられるので、カバーを本体に対して回転することができ、また、該ヒンジには、本体から上方へ持ち上げられたカバーが、自身の重量により閉じてしまうことを防止するためカバーの回転を停止させるための制動力が具備される。
【０００４】
また、前記ノートパソコンを使用する時は、迅速にカバーを開放位置まで回転させるのに対し、不用時は、本体に強く衝突することなく、迅速にカバーを閉止位置まで閉じる必要がある。
【考案の概要】
【考案が解決しようとする課題】
【０００５】
しかしながら、従来のヒンジの制動力は一定であるので、該ヒンジ式の折畳み装置を用いたカバーを持ち上げる時は、一方の手で本体を押さえ、もう一方の手で、ヒンジの制動力より大きな力でカバーを回転させなければならないので、体の不自由な使用者にとっては使い勝手が悪かった。
【０００６】
そこで、案出されたのが本考案であって、折畳み装置におけるカバーの開閉操作を片手で容易に行えるヒンジと、該ヒンジを備える折畳み装置を提供することを目的としている。
【課題を解決するための手段】
【０００７】
本考案は、上記の目的を達成するためのものであり、折畳み装置におけるカバーと本体との間に設置されるヒンジセットであって、カバーを本体に閉じた状態から本体に対して第１角度まで回転させる第１ヒンジと、カバーが第１角度から更に任意の角度まで回転する時に、カバーを該角度に位置決めさせる第２ヒンジとを備えるヒンジセットを提供するものである。
【０００８】
その内、前記第１ヒンジは、第１枢軸と、該第１枢軸に回転可能に環装される第１固定座と、該第１枢軸に回転可能に環装されると共に、第１固定座に固定される第１固定カムと、該第１固定カムに隣接するように第１枢軸に摺動可能に環装される第１回転カムと、一端が該第１回転カムに当接するように第１枢軸に環装される圧縮ばねと、該圧縮ばねの他端に当接するように第１枢軸の一端に固定される第１固定部材とを具備するように構成されることが好ましく、該第１固定カムにおける第１固定座と反対する面に、第１固定カムの側面に対して傾斜する受け面と、該第１固定カムの側面に対して垂直する制動面とを有する、錐状を呈する少なくとも１つの受け部が突設され、該第１回転カムにおける第１固定カム側の面に、受け部の数と対応する数の駆動部が設けられ、該駆動部は、対応する受け部に隣接する。
【０００９】
また、前記第２ヒンジは、第２枢軸と、該第２枢軸に回転可能に環装される第２固定座と、該第２枢軸に回転可能に環装されると共に、該第２固定座に固定される第２固定カムと、該第２固定カムに隣接するように第２枢軸に摺動可能に環装される第２回転カムと、一端が該第２回転カムに当接するように第２枢軸に環装される皿ばねユニットと、該皿ばねユニットの他端に当接するように第２枢軸の一端に固定される第２固定部材とを具備する構成であることが好ましく、該第２固定カム及び第２回転カムが互いに相対する面に夫々、対応する凹部と凸部が形成される。
【００１０】
また、前記第１固定カムを第１枢軸に、前記第２固定カムを第２枢軸に回転可能に環装する手段としては、例えば、該第１枢軸及び第２枢軸を断面非円形の棒体にすると共に、該第１固定カムと第２固定カムに夫々軸孔を穿設することによって達成することが好ましく、この構成によれば、該第１固定カムと第２固定カムを夫々、軸孔を介して第１枢軸と第２枢軸に回転可能に環装することができる。
【００１１】
また、前記第１回転カムを第１枢軸に、前記第２回転カムを第２枢軸に環装する手段としては、該第１回転カムと第２回転カムに夫々、該第１枢軸と第２枢軸の断面形状と対応する中心孔を形成することによって達成することが好ましく、この構成によれば、該第１回転カムと第２回転カムを夫々、中心孔を介して第１枢軸と第２枢軸に環装することができる。
【００１２】
また、前記第１固定カムを第１固定座に、前記第２固定カムを第２固定座に固定する手段としては、例えば、該第１固定座と第２固定座に夫々、少なくとも１つの嵌合凹部を形成すると共に、該第１固定カムにおける第１固定座側の面と、第２固定カムにおける第２固定座側の面に夫々、対応する嵌合凹部に嵌合される、嵌合凹部の数と対応する数の嵌合凸部を形成することによって達成することが好ましい。
【００１３】
また、前記第１ヒンジは、その第１枢軸に、前記第１固定座に隣接する鍔部が設けられると共に、更に該第１枢軸の断面形状と対応する貫通孔が形成され、且つ該貫通孔を介して鍔部の他側に隣接するように第１枢軸に環装される第１回転座を有する構成であることが好ましく、一方、前記第２ヒンジは、その第２枢軸に、前記第２固定座に隣接する鍔部が設けられると共に、更に該第２枢軸の断面形状と対応する貫通孔が形成され、且つ該貫通孔を介して鍔部の他側に隣接するように第２枢軸に環装される第２回転座を有する構成であることが好ましい。
【００１４】
また、前記第１ヒンジは更に、前記第１固定座と鍔部との間に位置するように第１枢軸に環装されるワッシャーと、第１固定部材と圧縮ばねとの間に位置するように第１枢軸に環装されるワッシャーを有する構成であることが好ましく、一方、前記第２ヒンジは更に、第２固定座と鍔部との間に位置するように第２枢軸に環装されるワッシャーと、第２固定部材と皿ばねユニットとの間に位置するように第１枢軸に環装されるワッシャーを有する構成であることが好ましい。
【００１５】
本考案は更に、カバーと本体と前記ヒンジセットを有する折畳み装置をも提供し、その内該ヒンジセットは、カバーと本体との間に設置される。より詳細に説明すると、該ヒンジセットにおける第１固定座と第２固定座は、該本体に固定されると共に、該ヒンジセットに第１回転座と第２回転座が設けられていない場合においては、該ヒンジセットにおける第１枢軸と第２枢軸は、該カバーに固定され、該ヒンジセットに第１回転座と第２回転座が設けられている場合においては、該第１回転座と第２回転座は該カバーに固定される。
【考案の効果】
【００１６】
本考案は上記の課題を解決するものであり、使用者が、折畳み装置のカバーと本体との間に設置される、カバーを本体に位置決めさせるためのラッチ（Latch）を解除すると、カバーが第１ヒンジの作動により自動的に第１角度（例えば３０又は４０度）まで回転するので、該カバーを第１角度まで回転する手間を省くことができ、また、使用者が更にカバーを第１角度から画像表示器が見やすい第２角度（例えば１２０又は１３５度）まで回転させると、第２ヒンジによりカバーが該第２角度に位置決めされるので、使用勝手がよく、実用性に優れている。
【図面の簡単な説明】
【００１７】
【図１】本考案に係るヒンジセットを備える折畳み装置の部分斜視図である。
【図２】本考案に係るヒンジセットにおける第１ヒンジの分解斜視図である。
【図３】図２に示す第１ヒンジにおける第１回転カムと第１固定カムの拡大分解斜視図である。
【図４】本考案に係るヒンジセットにおける第２ヒンジの分解斜視図である。
【図５Ａ】図１に示す折畳み装置において、カバーを本体に折畳んだ状態を示す側面図である。
【図５Ｂ】図１に示す折畳み装置において、カバーを本体に折畳んだ状態における第１回転カムと第１固定カムの拡大側面図である。
【図６Ａ】図１に示す折畳み装置において、カバーを本体に対して第１角度まで回転させた状態を示す側面図である。
【図６Ｂ】図１に示す折畳み装置において、カバーを本体に対して第１角度まで回転させた状態における第１回転カムと第１固定カムの拡大側面図である。
【図７Ａ】図１に示す折畳み装置において、カバーを本体に対して停止角度まで回転させた状態を示す側面図である。
【図７Ｂ】図１に示す折畳み装置において、カバーを本体に対して停止角度まで回転させた状態図における第１回転カムと第１固定カムの拡大側面図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１に示すように、本考案に係るヒンジセットは、折畳み装置９０におけるカバー９１と本体９２との間に設置される第１ヒンジA及び第２ヒンジBを有し、その内該第２ヒンジの構造は、従来のものと同様であるため、ここでは主に該第１ヒンジに対して詳細に説明する。
【００２０】
図１及び図２に示すように、第１ヒンジAは、第１枢軸１０Aと、第１固定座２０Aと、第１固定カム３０Aと、第１回転カム４０Aと、圧縮ばね５０Aと、第１固定部材６０Aと、２つのワッシャー７０Aと、第１回転座８０Aとを具備する。
【００２１】
その内、前記第１枢軸１０Aは、断面非円形の棒体であり、一端にネジ部１２Aが形成されると共に、他端の近傍に径方向に鍔部１１Aが突設される。
一方、前記第１固定座２０Aには、取付孔２１Aと２つの嵌合凹部２２Aが形成されると共に、該取付孔２１Aから、第１枢軸１０Aのネジ部１２Aが形成される一端が挿入され、第１固定座２０Aと鍔部１１Aとが近設される。
【００２２】
前記第１固定カム３０Aは、その中央に軸孔３１Aが穿設され、一側面に２つの嵌合凸部３２Aが突設されると共に、他側面に、図３に示すように、第１固定カム３０Aの側面に対して傾斜する受け面３３１Aと、第１固定カム３０Aの側面に対して垂直する制動面３３２Aとを有する、錐状を呈する２つの受け部３３Aが所定の間隔をおいて突設され、更に、第１固定カム３０Aは、嵌合凸部３２Aが第１固定座２０Aにおける対応する嵌合凹部２２Aに嵌合されるように、該軸孔３１Aを介して第１枢軸１０Aに環設される。
【００２３】
前記第１回転カム４０Aに、前記第１枢軸１０Aの断面形状と対応する中心孔４１Aが形成されると共に、一側面に、錐状を呈する２つの駆動部４２Aが設けられ、更に、第１回転カム４０Aは、それらの駆動部４２Aが夫々対応する受け部３３Aにおける受け面３３１Aに隣接するように、該中心孔４１Aを介して第１枢軸１０Aに環設される。
【００２４】
前記圧縮ばね５０Aは、一端が前記第１回転カム４０Aに当接するように第１枢軸１０Aに環装され、一方、前記第１固定部材６０Aは、該圧縮ばね５０Aの他端に当接するように第１枢軸１０Aの一端に固定されるものであるが、本実施例においては、第１枢軸１０Aのネジ部１２Aに螺合されるナットである。
【００２５】
前記２つのワッシャ７０Aは夫々、前記第１固定座２０Aと鍔部１１Aとの間及び第１固定部材６０Aと圧縮ばね５０Aとの間に設けられるように第１枢軸１０Aに環設される。一方、前記第１回転座８０Aには、第１枢軸１０Aの断面形状と対応する貫通孔８１Aが形成されると共に、該貫通孔８１Aを介して鍔部１１Aの他側に隣接するように第１枢軸１０Aに環装される。
【００２６】
前記第２ヒンジBは、第２枢軸１０Bと、第１固定座２０Bと、第２固定カム３０Bと、第２回転カム４０Bと、皿ばねユニット５０B、第２固定部材と６０Bと、２つのワッシャー７０Bと、第２回転座８０Bとを具備する。
【００２７】
その内、前記第２枢軸１０Bは、断面非円形の棒体であり、一端にネジ部１２Bが形成されると共に、他端の近傍に径方向に鍔部１１Bが突設され、一方、前記第２固定座２０Bには、取付孔２１Bと２つの嵌合凹部２２Bが形成されると共に、該取付孔２１Bから、第２枢軸１０Bのネジ部１２Bが形成される一端が挿入され、第２固定座２０Bと鍔部１１Bとが近設される。
【００２８】
前記第２固定カム３０Bは、中央に軸孔３１Bが形成されると共に、一側に２つの嵌合凸部３２Bが突設され、該嵌合凸部３２Bが前記第２固定座２０Bにおける、対応する嵌合凹部２２Bに嵌合されるように、該軸孔３１Bを介して第２枢軸１０Bに環設される。また、該第２回転カム４０Bは、中央に第２枢軸１０Bの径方向の断面形状と対応する中心孔４１Bが形成され、該中心孔４１Bを介して第２枢軸１０Bに環設される。更に、前記第２固定カム３０B及び第２回転カム４０Bにおける互いに向き合う面に夫々、対応する凹部と凸部が形成され、この構成によれば、該第２回転カム４０Bが一方向に回転する時、該第２固定カム３０Bと第２回転カム４０Bは互いに離間方向へ移動し、一方、該第２回転カム４０Bが逆方向に回転する時は、該第２固定カム３０Bと第２回転カム４０Bは互いに接近方向へ移動する。尚、前記凹部と凸部の構造は、従来のものと同様であるので、その詳しい説明は省略する。
【００２９】
前記皿ばねユニット５０Bは、複数の皿ばねからなり、一端が前記第２回転カム４０Bに当接するように第２枢軸１０Bに環装される。
前記第２固定部材６０Bは、前記皿ばねユニット５０Bの他端に当接するように第２枢軸１０Bの一端に固定されるものであるが、本実施例では、第２枢軸１０Bのネジ部１２Bに螺合されるナットである。
【００３０】
前記２つのワッシャ７０Bは夫々、前記第２固定座２０Bと鍔部１１Bとの間及び第２固定部材６０Bと圧縮ばね５０Bとの間に位置するように第２枢軸１０Bに環設され、また、前記第２回転座８０Bには、第２枢軸１０Bの径方向の断面形状と対応する貫通孔８１Bが形成され、該貫通孔８１Bを介して鍔部１１Bの他側に隣接するように第２枢軸１０Bに環装される。
【００３１】
次に、前記折畳み装置９０において、カバー９１の開閉操作を行う時の、本考案に係るヒンジセットの作用について説明する。
図１に示すように、前記折畳み装置９０におけるカバー９１と本体９２との間には、カバー９１が本体９２に折畳まれた時にカバー９１を本体９２に位置決めするためのラッチ（図示せず）が設けられると共に、該本体９２に本考案に係るヒンジセットにおける第１固定座２０Aと第２固定座２０Bが固定され、該カバー９１に本考案に係るヒンジセットにおける第１回転座８０Aと第２回転座８０Bが固定される構成である。
【００３２】
図１、図２、図５A及び図５Bに示すように、カバー９１が本体９２に折畳まれた時、第１回転カム４０Aにおける駆動部４２Aは、第１固定カム３０Aの受け部３３Aに設けられる受け面３３１Aの、自由端の近傍に当接し、即ち、該第１回転カム４０Aは、第１固定カム３０Aから離間しながら、圧縮ばね５０Aを押圧するので、圧縮ばね５０Aが圧縮されて付勢力が発生する。
【００３３】
図６A及び図６Bに示すように、使用者がラッチを解除すると、第１回転カム４０Aが、圧縮ばね５０Aの付勢力により第１固定カム３０A側へ移動すると同時に、第１回転カム４０Aにおける駆動部４２Aが、傾斜状を呈する受け面３３１Aにおいて移動するので、該第１回転カム４０Aは、移動しながら回転して枢軸１０A及び第１回転座８０Aを回転させるので、カバー９１は、第１回転座８０Aに連動して第１角度（例えば３０ないし４０度）まで回転する。尚、前記第１角度は、駆動部４２Aの受け面３３１Aにおいて移動する距離を変更することにより調節可能である。
【００３４】
図７A及び図７Bに示すように、カバー９１を第１角度から停止角度（例えば１２５度）まで回転すると、第１回転カム４０Aの駆動部４２Aは、第１固定カム３０Aの受け部３３Aにおける制動面３３２Aに当接するので、該カバー９１の最大の回転角度を制限することができる。尚、前記カバー９１が第１角度と停止角度との間において回転する時、前記駆動部４２Aと受け部３３Aとは互いに接触しないので、第１ヒンジAは、カバー９１に対して制動力を提供することはない。
【００３５】
また、前記第２ヒンジBは、本体９２に折畳まれた状態から第１角度までの回転動作において、カバー９１に対し制動力を提供することはないが、該カバー９１が第１角度と停止角度との間まで回転すると、第２回転カム４０Bが第２固定カム３０Bに対して離間方向へ移動して皿ばねユニット５０Bを押圧することから、該第２回転カム４０Bと皿ばねユニット５０Bとの間に摩擦力が生じるので、該摩擦力によってカバー９１を第１角度と停止角度との間における任意の角度に位置決めすることができる。
【００３６】
したがって、本考案に係るヒンジセットを備える折畳み装置を使用する時は、カバーが第１ヒンジの作動により自動的に第１角度まで回転することから、使用者は、カバーを第１角度から画像表示器が見やすい第２角度まで回転すればよいので、カバーを本体に折畳んだ状態から第１角度にまでの回転操作の手間を省くことができる。
【符号の説明】
【００３７】
A            第１ヒンジ
１０A        第１枢軸
１１A        鍔部
１２A        ネジ部
２０A        第１固定座
２１A        取り付け孔
２２A        嵌合凹部
３０A        第１固定カム
３１A        軸孔
３２A        嵌合凸部
３３A        受け部
３３１A      受け面
３３２A      制動面
４０A        第１回転カム
４１A        中心孔
４２A        駆動部
５０A        圧縮ばね
６０A        第１固定部材
７０A        ワッシャー
８０A        第１回転座
８１A        貫通孔
B            第２ヒンジ
１０B        第２枢軸
１１B        鍔部
１２B        ネジ部
２０B        第２固定座
２１B        取付孔
２２B        嵌合凹部
３０B        第２固定カム
３１B        軸孔
３２B        嵌合凸部
４０B        第２回転カム
４１B        中心孔
５０B        皿ばねユニット
６０B        第２固定部材
７０B        ワッシャー
８０B        第２回転座
８１B        貫通孔
９０        折畳み装置
９１        カバー
９２        本体
【図１】
0003169371.tif 000003
【図２】
0003169371.tif 000004
【図３】
0003169371.tif 000005
【図４】
0003169371.tif 000006
【図５Ａ】
0003169371.tif 000007
【図５Ｂ】
0003169371.tif 000008
【図６Ａ】
0003169371.tif 000009
【図６Ｂ】
0003169371.tif 000010
【図７Ａ】
0003169371.tif 000011
【図７Ｂ】
0003169371.tif 000012